(57)【要約】      （修正有）【課題】家具に使用する前板において、耐衝撃性、耐熱性、耐磨耗性に優れたメラミン板を張った表面板材の裏面に装飾的加工を施した高い強度と耐久性を持つ前板を提供する。【解決手段】家具のメラミンを張った前板に用いるパネル板材であって、パネル板材の芯材と、厚さ１８〜２５ｍｍ、幅２５０〜８００ｍｍのＭＤＦを使用して、表面にメラミン板を張って、側面と裏面の一面に０．１〜０．２ｍｍの厚さの塩化ビニール製のラッピングシートを芯材のＭＤＦの側面と裏面との全面で接着力を高めて均一・平滑に貼り、側面と裏面の角部が装飾的に均一になっている家具用メラミン被覆処理前板である。【選択図】図１
0003216646.tif 000002
【実用新案登録請求の範囲】
【請求項１】
家具のメラミンを張った前板に用いるパネル板材であって、パネル板材の芯材に、ＭＤＦの厚さ１８〜２５ｍｍ、幅２５０〜８００ｍｍのＭＤＦを使用して、表面に１〜３ｍｍ厚さのメラミン板を張って、側面と裏面の一面に０．１〜０．２ｍｍの厚さの塩化ビニール製のラッピングシートを芯材のＭＤＦの側面と裏面との全面で接着力を高めて均一・平滑にして、側面と裏面の角部を装飾的に均一になっていることを特徴とする家具用メラミン被覆処理前板。
【請求項２】
前記ＭＤＦの芯材の表面と前記芯材の側面の木口面に貼付けられたラッピングシートを前記芯材の平面方向に延びて前記芯材の角部の外縁に均等に貼って、強度面を備えた裏面の角部を補強した前板であって、前記前板となる化粧パネルは、収納家具に取り付けたときの装飾性と耐久性を増した家具の前側になる前板での木口面に、前記木口を覆う角部と裏面とを装飾ラッピングシートを同時に一連シートで貼って、裏面と側面とを連続的に接着性を高めて均一性を維持するために、それらの面に加熱圧縮処理を施している装飾的裏板であることを特徴とする請求項１に記載の家具用メラミン被覆処理前板。
【請求項３】
前板となる化粧パネルの前記ＭＤＦ芯材の表面を０．８〜１．２ｍｍのメラミン樹脂板材で被覆された耐衝撃性を備えて、裏面と側面とを均一な装飾的ラッピングシートで覆われた化粧板で、食器棚、テレビボート、サイドボード、箪笥、チェストの引き出し、開き戸、引き戸、カウンターに使用されていることを特徴とする請求項１に記載の家具用メラミン被覆処理前板。
【考案の詳細な説明】
【技術分野】
【０００１】本考案は、食器棚やテレビボード、カウンター等の家具に使用する装飾性耐久性前板に関するものである。主にメラミン樹脂材の表面を採用し、裏面の木口と角部とを均一被覆面の構造にしている家具用メラミン被覆前板に関する。
【背景技術】
【０００２】従来、キッチン天板の素材として、パーティクルボードを芯材に、表面にメラミン樹脂等の化粧板を張り付けたものがあった（特許文献１及び２参照）。
また、従来、芯材にパーティクルボードを用い表面に化粧板を施した板材において、芯材のパーティクルボードへの水の浸透を防止する構成を備えるものもあった。この既知の板材では、表面（上層）と縁材との接合部の直下位置に微細隙間を気密的に遮蔽するシール材を設けて、水の浸透を防止している（特許文献３参照）。【０００３】  テーブルの天板は木製とスチール製とが広く使用されているが、木製天板にしてもスチール製天板にしても単位面積当たりの重量がかなり大きいため、例えば２ｍ以上の長さを有する大型天板では、運搬や組み立てに多大の手間が掛かるのみならず、作業者の負担も大きいという問題がある。天板を積層構造にして軽量化することが提案されており、スチール製の基板と木質系等の下面板とで中空の殻体を構成して、この殻体の内部に発泡合成樹脂を充填すると共に、基板の上面に化粧用の表面板を接着することが開示されている（特許文献４参照）。【０００４】  また、パネルを軽量コア材とその表裏に配置した面板との積層構造として軽量化することも提案されており、アルミ箔で形成されたハニカム構造体の表裏にアルミ板を接着したパネルが開示されており、また、特許文献３には、ダンボール積層体より成るハニカムコアの表裏両面に、フェノール樹脂とガラス繊維とからなるシートモールディングコンパウンドの層を加圧成形によって積層することが開示されている（特許文献５参照）。【０００５】耐衝撃性、耐熱性、耐水性、耐磨耗性に優れた天板を提供するために、天板に用いる板材おいて、パネル状の芯材と、前記芯材の木口と同一の断面を有し前記木口に貼付けられ前記芯材の平面方向に延びて前記芯材の外縁を構成する耐衝撃性を備えた補強材と、前記芯材のおもて面と前記芯材の外縁の末端を被覆する耐衝撃性を備えた頂面化粧板と、前記補強材が構成する外縁の側面を被覆する耐衝撃性を備えた側面化粧板とからなる板材が提案されている（特許文献６参照）。【０００６】化粧パネルを収納家具の側面に取り付ける構造として、優れた意匠感と堅固さとが両立し、かつ取付作業が容易な構造を提供することで、収納家具の一方の側板の外面に、芯材の少なくとも一方の面に化粧処理が施された化粧パネルを取り付ける収納家具の化粧パネル取付構造であって、上記化粧パネルが、上記収納家具の側板の内側からねじ込まれるねじ部材と、上記側板の外面との間に介在する両面テープとで取り付けられている収納家具の化粧パネル取付構造が提案されている（特許文献７参照）。【０００７】軽量で強度に優れた家具用天板を提供するに当たり、天板はメラミン化粧板と軽量コア材と下面板との三層構造とし、軽量コア材は平面視で並列に配置されたライナー紙の群と隣り合ったライナー紙の間に配置された波型の中芯紙の群とで構成された上下に開口した多数の独立空間を有するダンボール積層体であり、メラミン化粧板は高圧メラミン化粧板、下面板はＳＰＣＣのような薄鋼板を使用し、天板の前部には補強部材を配置することが示されている（特許文献８参照）。【０００８】メラミンの化粧板については、ほとんどテーブルの天板であって、軽量と強度を持たせるものが多くて、家具の前板に使用されて、耐久性を高めたものは存在しない。
【先行技術文献】
【特許文献】
【０００９】
【特許文献１】特許第３１２０６４３号公報
【特許文献２】特公平０７−２３８７号公報
【特許文献３】特許第３０６７５１３号公報
【特許文献４】実開平５−１３２４６号公報
【特許文献５】特開２００３−１０２５７８号公報
【特許文献６】特開２００９−２９１４３０号公報
【特許文献７】特開２００６−１８１１３５号公報
【特許文献８】特開２０１５−１３９６３５号公報
【考案の概要】
【考案が解決しようとする課題】
【００１０】  さて、テーブル等の家具の天板の場合、上面は露出して筆記等の各種の用途に供されるため、表面の美しさや硬さ（傷つきにくさ）が求められる。この点、従来からテーブルの天板の上面を化粧体としてのメラミン化粧板で構成することは広く行われており、そこで天板の上面を化粧板で構成したらよいと云えるが、これでは、天板の層数が増えてコストが嵩むのみならず重量も増加するという問題がある。しかし家具のメラミンを使用した前板については、価格的に採用がされておらず、また扉などに使用した場合には使用頻度が多くなり、耐久性で問題になっており、さらに前板の裏面の装飾性を高めることが求められている。【００１１】  本考案にかかる現状に鑑み成されたものであり、家具の表面である前板の裏板の化粧性は確保しつつ、簡単な構造で高い強度、耐久性を持ちの家具用前板を提供すること、及び、これに関連して現実性が高くて商品価値が高い前板を提供することを目的とするものである。【００１２】ＭＤＦは、加工性、軽量性に優れるが、吸水性が高い。また、メラミン樹脂は耐衝撃性、耐熱性、耐水性、耐摩耗性に優れる。そこで、家具の芯材として、ＭＤＦを芯材にし、メラミン樹脂等の化粧板を外表面に張り付けたものがよく用いられている。この場合のメラミン樹脂化粧板の厚みは０．８ｍｍ〜１．２ｍｍである。【００１３】このような家具の前板は、通常の刺激では破損しないが、外周側縁面に先鋭な物質が衝突する等して集中応力がかかった場合には、破損して部分的に欠落したり、表面が変形したり傷がついたりすることがあった。その結果、ＭＤＦ材が露出して吸水し、これにより前板が腐敗したり、膨潤によって家具の表面の化粧板が剥離したり、反りが生じたり、亀裂が生じたりした。このような故障が生じた場合修復は困難なので、前板の裏面の美観と機能を再び得るには、家具全体を交換する必要があった。
【課題を解決するための手段】
【００１４】家具のメラミンを張った前板に用いるパネル板材であって、パネル板材の芯材と、ＭＤＦの厚さ１８〜２５ｍｍ、幅２５０〜８００ｍｍのＭＤＦを使用して、表面にメラミン板を張って、側面と裏面の一面に０．１〜０．２ｍｍの厚さの塩化ビニール製のラッピングシートを芯材のＭＤＦの側面と裏面との全面で接着力を高めて均一・平滑に貼り、側面と裏面の角部を平均的均一に貼っている家具用メラミン被覆処理前板である。【００１５】前記ＭＤＦの芯材の表面と前記芯材の側面の木口面に貼付けられたラッピングシートを前記芯材の平面方向に延びて前記芯材の角部の外縁に均等に貼って、強度面を備えた裏面の角部を補強した前板であって、
前記前板となる化粧パネルは、収納家具に取り付けたときの装飾性と耐久性を増した家具の前側になる前板での木口面に、前記木口を覆う角部と裏面とを装飾ラッピングシートを同時に一連シートで貼って、裏面と側面とを連続的に接着性を高めて均一性を維持するために、それらの面に加熱圧縮処理を施している裏板である。【００１６】前板となる化粧パネルの前記ＭＤＦ芯材の表面を０．８〜１．２ｍｍのメラミン樹脂板材で被覆された耐衝撃性を備えて、裏面と側面とを均一な装飾的ラッピングシートで覆われた化粧板で、食器棚、テレビボート、サイドボード、箪笥、チェストの引き出し、開き戸、引き戸、カウンターに使用されている。
【考案の効果】
【００１７】家具の前板に使用する化粧板の表面と裏面を構成する芯材と外層のメラミン板の間の、外縁側壁のみに裏板の保護膜を設ける、というごく単純な構成により、耐久性が向上し、前板のメラミン板の破損、それに伴うＭＤＦ等の吸水性のよい素材の膨潤、腐敗、化粧板と芯材の剥離、裏面の破損といった事故を予防できる。【００１８】天板の最外層のメラミン板に傷がついた場合でも、耐水性に優れたメラミン樹脂板がさらに内装に存するため、破損部からの変形を防止し、扉などの熱変化の激しい前板の破損はなくなった。化粧性を有する前板（化粧板）の裏面板の保護膜によって構成しているが、前板には上から大きな荷重が掛かることがあるため、前板は上からの荷重に抗する高い強度が求められる。接着的均一に貼られている裏板のラッピング膜によって変質防止を確保しつつ、メラミンの上面板で化粧の特異性を確保させている。【００１９】  しかも、メラミン化粧板とＭＤＦの下面板との間の側板部材が配置されているため、重量を大きく増大させることなく、裏面の安定性からの荷重に対する強度を向上させることができる。その結果、安定性を格段に向上させて、大型であって、実用的価値は非常に高い。
【図面の簡単な説明】
【００２０】
【図１】メラミン被覆処理前板を使用した食器棚の斜視図を示す。
【図２】本考案の家具用メラミン被覆処理前板の構造の図を示す。
【図３】本考案の家具用メラミン被覆処理前板の木口部分の状態を示す。
【図４】本考案の家具用メラミン被覆処理前板を使用した他形の食器棚の図を示す。
【図５】本考案の家具用メラミン被覆処理前板を使用したテレビボードの図を示す。
【考案を実施するための形態】
【００２１】以下の実施例を、図１は家具用メラミン被覆処理前板の斜視図で、図２は、本願の家具用メラミン被覆処理前板の構造の図で、図３は、本願の家具用メラミン被覆処理前板の木口部分の状態を示す。
【実施例１】
【００２２】図１に示すように、食器棚の家具のメラミンを張った化粧前板に用いるパネル板材であって、図２，３に示すようにパネル板材の芯材と、ＭＤＦの厚さ２０ｍｍ、幅８００ｍｍのＭＤＦを種々切断して使用して、表面にメラミン板を張って、側面と裏面の一面で０．１５ｍｍの厚さの塩化ビニール製のラッピングシートを芯材のＭＤＦの裏面全体平面を均一・平滑に、裏面の角部を直角的に貼っている家具用メラミン被覆化粧前板であった。【００２３】図２に示すように、前記ＭＤＦの芯材の表面と前記芯材の側面の木口面に貼付けられたラッピングシートを前記芯材の平面方向に延びて前記芯材の角部の外縁に均等に貼って、強度面を備えた裏面の角部補強の前板であって、前板となる化粧パネルは、収納家具に取り付けたときの装飾性と耐久性を増すために前側の前板となる木口面に、前記木口を覆う角部と裏面とをラッピングシートを同時に一連に貼って、その面の接着性を高め、均一性を維持するために加熱圧縮処理を施した図３の断面図のようになった。【００２４】前板となる化粧パネルの前記ＭＤＦ芯材の表面を１．２ｍｍのメラミン樹脂板材で被覆された耐衝撃性を備えて、裏面を均一なラッピングシートで覆われた化粧前板で、食器棚での引き出し、引き戸、カウンターに使用した。
食器棚での引き出し、引き戸、カウンターの縁角部に塩化ビニール製のラッピングシートを連続して被覆した小口、裏面を持つことによって、前板、引き出し、引き戸、カウンターが剥離がなく、安定的な様相が見られた。
【実施例２】
【００２５】実施例１と同様に、図３に示す開き戸付き食器棚の家具のメラミンを張った化粧前板に用いるパネル板材であって、図２，３の化粧前板に示すようなパネル板材の芯材と、ＭＤＦの厚さ２０ｍｍ、幅８００ｍｍのＭＤＦを種々切断して使用して、表面にメラミン板を張って、側面と裏面の一面で０．１５ｍｍの厚さの塩化ビニール製のラッピングシートを芯材のＭＤＦの裏面全体平面を均一・平滑に、裏面の角部を直角的に貼っている家具用メラミン被覆前板であった。【００２６】図２に示すように、前記ＭＤＦの芯材の表面と前記芯材の側面の木口面に貼付けられたラッピングシートを前記芯材の平面方向に延びて前記芯材の角部の外縁に均等に貼って、強度面を備えた裏面の角部補強の前板であって、前板となる化粧パネルは、収納家具に取り付けたときの装飾性と耐久性を増すために前側の前板となる木口面に、前記木口を覆う角部と裏面とをラッピングシートを同時に一連に貼って、その面の接着性を高め、均一性を維持するために加熱圧縮処理を施した図３の断面図のようになった。【００２７】前板となる化粧パネルの前記ＭＤＦ芯材の表面を１．１ｍｍのメラミン樹脂板材で被覆された耐衝撃性を備えて、裏面を均一なラッピングシートで覆われた化粧前板で、食器棚での引き出し、開き戸、カウンターに使用した。
食器棚での引き出し、開き戸、カウンターの縁角部に塩化ビニール製のラッピングシートを連続して被覆した小口、裏面を持つことによって、前板、引き出し、開き戸、カウンターが剥離もなく、安定的な様相が見られた。メラミン面で装飾を増してきた。
【実施例３】
【００２８】図５に示すようにテレビボード家具の前板、側板にメラミンを張ったパネル板材であって、パネル板材の芯材と、ＭＤＦの厚さ２５ｍｍ、幅４００ｍｍのＭＤＦを使用して、表面にメラミン板を張って、側面と裏面の一面で０．２ｍｍの厚さの塩化ビニール製のラッピングシートを芯材のＭＤＦの裏面全体平面を均一・平滑に、裏面の角部を直角的に貼っている家具用メラミン被覆化粧前板であった。【００２９】メラミン被覆化粧前板において、図３に示すように前記ＭＤＦの芯材の表面と前記芯材の側面の木口面に貼付けられたラッピングシートを前記芯材の平面方向に延びて前記芯材の角部の外縁に均等に貼って、強度面を備えた裏面の角部補強の前板であって、前板となる化粧前板のパネルは、テレビボードに取り付けたときの装飾性と耐久性を増すために前側の前板となる木口面に、前記木口を覆う角部と裏面とをラッピングシートを同時に一連に貼って、その面の接着性を高め、均一性を維持するために加熱圧縮処理を施した。【００３０】テレビボードでの前板となる化粧パネルの前記ＭＤＦ芯材の表面を１．０ｍｍのメラミン樹脂板材で被覆された耐衝撃性を備えて、裏面を均一なラッピングシートで覆われた化粧前板で、テレビボートの引き出し、開き戸、引き戸、カウンターに使用された。開き戸、カウンターの縁角部に塩化ビニール製のラッピングシートを連続して被覆した小口、裏面を持つことによって、カウンターが剥離もなく、安定的な様相が見られた。メラミン面で装飾を増してきた。
【符号の説明】
【００３１】１  食器棚
２  メラミン部材
３  塩ビラッピングシート部材
４  化粧前板
５  側縁面
６  小口
７  裏板
１１  芯材ＭＤＦ
１２  補強板
１４  角部
１５  開き戸
１６  引き出し
１７  カウンターテーブル
１８  収納庫
１９  引き戸
２０  テレビボード
【図１】
0003216646.tif 000003
【図２】
0003216646.tif 000004
【図３】
0003216646.tif 000005
【図４】
0003216646.tif 000006
【図５】
0003216646.tif 000007